(57)【要約】      （修正有）【課題】両手が自由になる釣竿等の棒状体の固定具を提供する。【解決手段】釣竿固定具は、第１保持部２０１と第２保持部２０２とからなる。この２つ部材で釣竿１０７を支える。第１保持部２０１は、ベルト１０５など衣服に固定される。釣竿１０７の先端を保持する。第２保持部２０２は、ジャケット１０１の胸の位置に固定される。これら２つの部材により、釣竿１０７をジャケット１０１、ベルト１０５に固定できる。さらに、第１保持具は、シート体を筒状にし、その下面を閉じることで釣竿等の棒状体の端部を保持する。【選択図】図１
0003189482.tif 000002
【実用新案登録請求の範囲】
【請求項１】
棒状体の先端をその底面で支える中空の柱状の第１保持部と、前記棒状体の途中を支える筒状の第２保持部とを含む棒状体の固定具であり、
前記第１保持部は、シート体を変形させたもので、前記第２保持部は、前記棒状体を支持部で保持し、固定部で固定することを特徴とする棒状体の固定具。
【請求項２】
前記第１保持部は、前記シート体を筒状にし、その両端部を近づけるように閉じることで、前記棒状体を保持する請求項１記載の棒状体の固定具。
【請求項３】
前記第１保持部は、前記シート体を筒状にし、その下面を閉じることで前記棒状体の端部を保持する請求項１または２記載の棒状体の固定具。
【請求項４】
前記第１保持部は、前記シート体の両端部間を紐状体で閉じる請求項１から３のいずれか１項に記載の棒状体の固定具。
【請求項５】
前記第２保持部の保持部において、前記固定部は、紐状体であり、前記固定部は、一方端が前記支持部に固定され、もう一方端は、前記支持部に着脱可能に固定される請求項１から４のいずれか１項に記載の棒状体の固定具。
【請求項６】
前記支持部は、変形しないものであり、前記固定部は、柔軟である請求項１から５のいずれか１項に記載の棒状体の固定具。
【考案の詳細な説明】
【技術分野】
【０００１】
本考案は、棒状体の固定具に関する。
【背景技術】
【０００２】
図４で、従来の棒状体の固定具を説明する（特許文献１）。図４は、人が着るジャケット１０１の斜視図である。釣竿を通す筒１０３と筒１０３をジャケット１０１に固定する固定部１０２とを有する。この筒１０３に釣竿を通して、釣竿を片手で保持し、釣りを楽しむものである。
【先行技術文献】
【特許文献】
【０００３】
【特許文献１】特開２００１−３７３９１号公報
【考案の概要】
【考案が解決しようとする課題】
【０００４】
しかし、従来の棒状体の固定具では、棒状体を１箇所で固定するだけであり、安定性にかけていた。両手を離すことが困難であった。本願考案では、両手が自由になる棒状体の固定具を実現することを課題とする。
【課題を解決するための手段】
【０００５】
上記課題を解決するため、棒状体の先端をその底面で支える柱状の第１保持部と、棒状体の途中を支える筒状の第２保持部とを含む棒状体の固定具を用いる。
【考案の効果】
【０００６】
本願考案の棒状体の固定具では、第１保持部と、第２保持部とで棒状体を支えるので、両手が自由になる。両手で、他の作業ができる。
【図面の簡単な説明】
【０００７】
【図１】実施形態の釣竿固定具を示す図
【図２】（ａ）〜（ｂ）実施形態の釣竿固定具の第１保持部を示す図
【図３】（ａ）〜（ｃ）実施形態の釣竿固定具の第２保持部を示す図
【図４】従来の棒状体の固定具を示す斜視図
【考案を実施するための形態】
【０００８】
（実施の形態１）
図１において、本願考案の棒状体の固定具の使用方法を説明する。本願考案の棒状体の固定具は、第１保持部２０１と第２保持部２０２とからなる。この２つ部材で棒状体である釣竿１０７を支える。人は、両手が自由になる。
【０００９】
第１保持部２０１は、ベルト１０５など衣服に固定される。釣竿１０７の先端を保持す
る。ベルト１０５でなくともジャケット１０１、ズボンに固定してもよい。普段は、第１の保持部２０１を外しておくことができ、別途保管できる。
【００１０】
第２保持部２０２は、ジャケット１０１の胸の位置に固定される。脱着式であり普段は外しておくことができる。これら２つの部材により、棒状体である釣竿１０７をジャケット１０１、ベルト１０５に固定でき、両手が空く。以下それぞれを詳細に説明する。
【００１１】
次に棒状体の固定具の構造について説明する。
図２（ａ）、図２（ｂ）は、第１保持部２０１を示す。図２（ａ）は、第１保持部２０１の斜視図であり、図２（ｂ）は、第１保持部２０１が、ベルト１０５に固定されている状態を示す。第１保持部２０１は、本体部１５０と調整部１５１と固定部１５２とからなる。本体部１５０には、貫通穴１５３がある。
本体部１５０は、シート状の革などを湾曲させて筒状にしたものである。円筒型にしたものである。円筒の上下は開いている。革以外に樹脂シート、ゴムシートでもよい。厚さがあり、しっかりしていればよい。
【００１２】
調整部１５１は、ひも、ワイヤーなどで、本体部１５０の端部の貫通穴１５３に通して、本体部１５０の両端同士を近づけるものである。シート状の本体部１５０を円筒に形成し、円筒の内部に棒状体を固定する。靴紐と同じ原理である。ただし、本体部１５０の筒状の底部分にも調整部１５１を設ける。この部分で釣竿１０７の端部を受ける。
よって、貫通穴１５３は、シート状の本体部の両端部と、円筒状にした場合の下部に設ける必要がある。
【００１３】
固定部１５２は、本体部１５０（第１保持具２０１）をベルト、衣服など人に固定するものである。ひも状のもので、一端が本体部１５０に固定され、もう一端が本体部１５０と、着脱可能に接続される。固定部１５２は、図２（ｂ）に示すように、一端をベルト１０５などに巻きつけて、本体部１５０にとめる。
本体部１５０に接続部１５５があり、接続部１５５を介して、本体部１５０と固定部１５２とが接続される。たとえば、ボタンでも、凹部と凸部との組み合わせでもよい。面ファスナーでもよい。もう一端は、本体部１５０の裏面（図２（ａ）の右側）に固定してもよい。
本体部１５０は、シート状で材質として弾性があり、釣竿１０７をしっかり、しなやかに保持できる。硬いものであると、急激な衝撃が発生しよくない。この調整部１５１により、内部で棒状体を保持する。棒状体の釣竿１０７の太さに関係なく、しっかり保持できる。本体部１５０が柔軟でしっかり釣竿を保持できる。
【００１４】
図３（ａ）〜（ｃ）で、第２保持部２０２を説明する。図３（ａ）、図３（ｂ）は、第２保持部２０２の斜視図である。図３（ａ）は、固定部１５２が開放されている図であり、
図３（ｂ）は、固定部２０３が閉じられた状態である。図３（ｃ）は、第２保持部２０２により釣竿１０７を保持している斜視図である。ジャケット１０１に第２保持部２０２を固定し、釣竿１０７を保持している状態を示す。
【００１５】
まず、第２保持部２０２を説明する。第２保持部２０２は、支え部２０７と支持部２０４とからなる。支え部２０７は、上穴２０５と下穴２０６を含む。支持部２０４は、
突起２１０と固定部２０３とを含む。
【００１６】
支え部２０７は、支持部２０４と固定され、支持部２０４を衣服などに取り付ける部分である。上下に、上穴２０５と下穴２０６とを有する。上穴２０５、下穴２０６に紐、ワイヤー、止め具を通し、衣服側の穴などにも通して固定する。
【００１７】
支持部２０４は、釣竿１０７を直接受ける部分である。樹脂材料、または、金属材料からなり変形しないものである。棒状体である釣竿１０７の形状に、その内面の形状が合わされている。内部の釣竿１０７と接する部分に弾性体２３０、例えば、ゴムをさらに設けると、釣竿１０７をより保持しやすい。
【００１８】
固定部２０３は、弾性体のシート状、または、ベルト状である。一方端が、支持部２０４に固定され、もう一方端に開口部を有する。この開口を支持部２０４の突起２１０に差込み、閉じる。固定部２０３は、支持部２０４にセットされる釣竿１０７を、その外面に沿って、支持部２０４側へ釣竿１０７を押す。このことで、釣竿１０７を保持する。
突起２１０を設けなくとも、凹部と凸部との組み合わせ、面ファスナー、突起と開口との組み合わせ、衣服で使用されるベルトの方式などでもよい。
【００１９】
図３（ｃ）で、開口部２１２がジャケット１０１にある。開口部２１２は、金属の金具でリング状の縁取りがされたものが使用できる。ジャケット１０１に、小さな開口部２１２を２つ設けておく必要がある。また、開口部２１２を利用せず、面ファスナー、ポケット的な袋をジャケット１０１に設けて、支え部２０７を保持できるようにしてもよい。
なお上記実施の形態は、組み合わせることができる。
【産業上の利用可能性】
【００２０】
釣竿、旗、広告用の竿などの棒状体のものを人に固定する場合に広く使用できる。
【符号の説明】
【００２１】
１０１  ジャケット
１０２  固定部
１０３  筒
１０５  ベルト
１０７  釣竿
１５０  本体部
１５１  調整部
１５２  固定部
１５３  貫通穴
２０１  第１保持部
２０２  第２保持部
２０３  固定部
２０４  支持部
２０５  上穴
２０６  下穴
２０７  支え部
２０９  固定部
２１０  突起
２１１  ワイヤー
２１５  固定部
２２０  開口部
２３０  弾性体
【図１】
0003189482.tif 000003
【図２】
0003189482.tif 000004
【図３】
0003189482.tif 000005
【図４】
0003189482.tif 000006